(57)【要約】      （修正有）【課題】入室管理用の非接触ＩＣカードが紛失された場合、臨時に携帯電話機を用いて本人認証し、電気錠を開錠して入室できるようにした入室管理システムの提供。【解決手段】認証用データを読み取る読取装置４と、電気錠６と、読取装置及び電気錠とに接続され電気錠を制御する制御装置７と、制御装置及び携帯電話機３と通信可能に接続されたサーバ８とからなり、前記サーバは、記憶手段と、受信した認証用データと、予め記憶手段に記憶されている認証用データとを照合処理する照合手段と、照合一致した場合に、前記制御装置に電気錠を開錠させる指示信号を送信する手段と、仮発行される認証用データと送信先携帯電話情報とが予め関係付けられて登録されている登録手段と、前記送信先携帯電話情報の送信先に仮発行される認証用データを送信する手段と、照合処理の際に、仮発行される認証用データを使用した照合を行うかの識別情報を登録する手段とを備える。【選択図】図１
2007308873.tif 000002
【特許請求の範囲】
【請求項１】
本人認証の際に使用する入室管理用の非接触ＩＣカードが紛失された場合でも、携帯電話機を用いて臨時に本人認証を行い入室できるようにした入室管理システムであって、
前記非接触ＩＣカード又は前記携帯電話機に記憶された認証用データを、非接触方式で読み取る読取装置と、
入室管理対象のドアの施錠又は開錠を行う電気錠と、
前記読取装置及び前記電気錠とに接続され、前記電気錠の施錠又は開錠の切替をサーバからの受信指示信号に基づいて制御する制御装置と、
前記制御装置及び前記携帯電話機と通信可能に接続されたサーバとからなり、
前記サーバは、本人認証の際に使用する認証用データを記憶する記憶手段と、前記読取装置で読み取られ前記制御装置から受信した認証用データと、予め前記記憶手段に記憶されている認証用データとを照合処理する照合手段と、前記照合手段による照合処理で一致した場合に、前記制御装置に対して前記電気錠を開錠させるための指示信号を送信する手段と、仮発行される認証用データと送信先携帯電話情報とが予め関係付けられて登録されている登録手段と、前記送信先携帯電話情報の送信先に対して、仮発行される認証用データを送信する手段と、前記照合手段による照合処理の際に、前記認証用データに代えて前記仮発行される認証用データを使用するか否かを識別するための識別情報を登録する手段と、
を備えることを特徴とする入室管理システム。
【請求項２】
前記サーバは、仮発行された認証用データがある場合に、その仮発行の前に使用されていた認証用データによる照合処理ができないように制限する手段を有していることを特徴とする請求項１記載の入室管理システム。
【請求項３】
前記サーバは、仮発行された認証用データが送信され、その後に新たな認証用データの発行が行われた場合に、仮発行された認証用データの有効期間を設定する手段を有していることを特徴とする請求項１記載の入室管理システム。
【発明の詳細な説明】
【技術分野】
【０００１】
本発明は、本人認証の際に使用する入室管理用の非接触ＩＣカードが紛失された場合でも、携帯電話機を用いて臨時に本人認証を行い入室できるようにした入室管理システムに関する。
【背景技術】
【０００２】
従来、ＩＣカードを使用してドアの施錠・開錠を管理する入室管理システムが知られている。
これらのＩＣカード入室管理システムでは、従来の鍵の代わりにＩＣカードを使用して、そのＩＣカードに記憶させておいた固有データと、読取装置側に予め記憶させておいた固有データとの照合処理を行うことで、照合一致した場合にドアのロックを開錠させるもので、特に非接触ＩＣカードを用いた場合には非接触方式により開錠できるので操作上も便利である。（例えば、特許文献１乃至４、参照）
【０００３】
【特許文献１】特開平９−１８５７４０号公報
【特許文献２】特開平１０−２８０７５２号公報
【特許文献３】特開２０００−２９３７７２号公報
【特許文献４】特開２００１−１３２２９３号公報
【０００４】
しかしながら、鍵の代わりに非接触ＩＣカードを用いたとしても、従来の鍵を使用したのと同様に非接触ＩＣカードを紛失してしまった場合には、ドアを開錠させることができないという、従来の鍵を用いた場合と同じような不便があるという問題がある。
【発明の開示】
【発明が解決しようとする課題】
【０００５】
そこで、本発明は、利用者が、入室管理用の非接触ＩＣカードを紛失した場合でも、臨時に携帯電話機を用いて本人認証を行えるようにして、電気錠を開錠し入室できるようにした入室管理システムを提供する。
【課題を解決するための手段】
【０００６】
本発明の入室管理システムは、本人認証の際に使用する入室管理用の非接触ＩＣカードが紛失された場合でも、携帯電話機を用いて臨時に本人認証を行い入室できるようにした入室管理システムであって、前記非接触ＩＣカード又は前記携帯電話機に記憶された認証用データを、非接触方式で読み取る読取装置と、入室管理対象のドアの施錠又は開錠を行う電気錠と、前記読取装置及び前記電気錠とに接続され、前記電気錠の施錠又は開錠の切替をサーバからの受信指示信号に基づいて制御する制御装置と、前記制御装置及び前記携帯電話機と通信可能に接続されたサーバとからなり、前記サーバは、本人認証の際に使用する認証用データを記憶する記憶手段と、前記読取装置で読み取られ前記制御装置から受信した認証用データと、予め前記記憶手段に記憶されている認証用データとを照合処理する照合手段と、前記照合手段による照合処理で一致した場合に、前記制御装置に対して前記電気錠を開錠させるための指示信号を送信する手段と、仮発行される認証用データと送信先携帯電話情報とが予め関係付けられて登録されている登録手段と、前記送信先携帯電話情報の送信先に対して、仮発行される認証用データを送信する手段と、前記照合手段による照合処理の際に、前記認証用データに代えて前記仮発行される認証用データを使用するか否かを識別するための識別情報を登録する手段と、を備えることを特徴とする。
【０００７】
また、本発明の入室管理システムは、前記サーバは、仮発行された認証用データがある場合に、その仮発行の前に使用されていた認証用データによる照合処理ができないように制限する手段を有していることを特徴とする。
【０００８】
更に、本発明の入室管理システムは、前記サーバは、仮発行された認証用データが送信され、その後に新たな認証用データの発行が行われた場合に、仮発行された認証用データの有効期間を設定する手段を有していることを特徴とする。
【発明の効果】
【０００９】
本発明の入室管理システムは、たとえ入室管理用の非接触ＩＣカードが紛失された場合でも、携帯電話機を利用して仮発行される認証用データを入手することができるので、その仮認証用データを利用することで臨時に携帯電話機を用いて本人認証を行い、開錠して入室できるという効果がある。
【００１０】
また、本発明の入室管理システムは、仮発行された認証用データがある場合に、その仮発行の前に使用されていた認証用データを用いた照合処理ができない状態になるように制限されるので、紛失された非接触ＩＣカードが第三者によって悪用されることを防止できるという効果がある。
【００１１】
更に、本発明の入室管理システムは、携帯電話機に対して仮発行された認証用データの有効期間を設定する手段を有しているので、携帯電話機が第三者によって悪用されて入室されることを防止できるという効果がある。
【発明を実施するための最良の形態】
【００１２】
以下、本発明の実施形態に係る入室管理システムを、図面に基づいて詳細に説明する。
図１は、本発明の実施形態に係る入室管理システムの構成を示す図、図２は、本発明の実施形態に係る入室管理システムに使用される携帯電話機及び非接触ＩＣカードのシステムブロック図、図３は、本発明の実施形態に係る入室管理システムに使用されるサーバのシステムブロック図、図４は、本発明の実施形態に係る入室管理システムに使用されるサーバのデータベースに登録されているデータを示す図、図５は、本発明の実施形態に係る入室管理システムの処理手順を示すフローチャート図である。
【００１３】
まず、本発明の実施形態に係る入室管理システムは、図１に示すように、入室が管理されている部屋に入る権限を有している社員１が所持する非接触ＩＣカード２及び携帯電話機３と、部屋の入口付近に備えられ、これらの非接触ＩＣカード２及び携帯電話機３に記憶されている社員ＩＤ及び認証用データを非接触方式で読み取ることができる読取装置４と、入室管理対象のドア５の施錠又は開錠を行う電気錠６と、電気錠６の施錠又は開錠の切替を制御する制御装置７と、これらの制御装置７及び携帯電話機３と通信可能に接続されたサーバ８とを有している。
尚、制御装置７と通信ネットワーク９の間に入退室管理用の端末を入れて、一旦それを経由して、通信ネットワーク９を経由してサーバ８とデータの送受信を行うようにしてもよい。
本発明の入室管理システムにおいて、非接触ＩＣカード２は、社員証カードなどとしても併用され、社員１が常時所持することで、部屋への入室時にいつでもこの非接触ＩＣカード２を用いて入室できるようにしてある。
そして、社員１が非接触ＩＣカード２を紛失した場合においても、例外的に携帯電話機３を利用して臨時に部屋への入室を行えるようにしてある。
【００１４】
制御装置７とサーバ８は、通信ネットワーク９を介して通信可能に接続され、携帯電話機３とサーバ８は、通信ネットワーク９及び移動体通信網１０を介して通信可能に接続されている。
【００１５】
図２に示すように、携帯電話機３には、表示手段１１、入力手段１２、電源部１３、記憶手段１４、制御手段１５、インターフェーフェース（Ｉ/Ｆ）１６、音声入出力手段１７、デジタル信号処理手段１８、ＲＦ入出手段１９などが備えられている。
更に、携帯電話機３には、非接触ＩＣカード部２０が着脱可能に内蔵され設けられている。
この非接触ＩＣカード部２０には、インターフェーフェース（Ｉ/Ｆ）２１、送受信手段２２、記憶手段２３、制御手段２４などが備えられている。
携帯電話機３のＩ/Ｆ１６と、非接触ＩＣカード部２０のＩ/Ｆ２１とにより、携帯電話機３と非接触ＩＣカード部２０との間での信号の送受信が行われる。
【００１６】
携帯電話機３は、サーバ８から受信した仮発行された認証用データ（以下、仮認証用データとも言う。）を、Ｉ/Ｆ１６を介して非接触ＩＣカード部２０の記憶手段２３に記憶させることで、携帯電話機３を読取装置４に近づけることで、非接触方式により非接触ＩＣカード部２０から社員ＩＤ及び仮認証用データの読み取りを行えるようにしてある。
そして、読取装置４からサーバ８に社員ＩＤ及び仮認証用データが送信される。
【００１７】
また、非接触ＩＣカード２は、記憶手段２５、送受信手段２６、制御手段２７が備えられ、記憶手段２５には、予め社員ＩＤ及び認証用データが登録されている。
非接触ＩＣカード２を読取装置４に近づけることで、非接触で非接触ＩＣカード２５から社員ＩＤ及び認証用データの読み取りを行えるようにしてある。
上記のように、読取装置４は、非接触方式で携帯電話機３から社員ＩＤ及び仮認証用データの読み取りを行い、また、非接触ＩＣカード２５から社員ＩＤ及び認証用データの読み取りを行う機能を有している。
【００１８】
次に、図３に基づきサーバ８について説明する。
管理センターなどに設置されているサーバ８には、通信ネットワーク９を介して、携帯電話機３や読取装置４と通信を行う機能を有する送受信手段３０、電気錠６に対して開錠を指示する開錠信号を送信させる機能を有する開錠指示信号送信手段３１、制御プログラムなどが記憶されている記憶手段３２、認証用データや仮認証用データ同士を照合処理する機能を有する照合手段３３、仮認証用データを携帯電話機３に対して送信させる機能を有する仮認証用データ送信制御手段３４、仮認証用データの有効期間を設定する機能を有する仮認証用データ有効期間設定手段３５、社員情報が登録されている社員情報データベース３６、制御手段３７などが備えられている。
【００１９】
社員情報データベース３６には、図４に示すように、社員証として非接触ＩＣカード２５を発行する社員の社員ＩＤ４０と、非接触ＩＣカード２５を社員に発行する際に非接触ＩＣカード２５の記憶手段２５に登録させておく認証用データ４１と、その社員が非接触ＩＣカード２５を紛失した際に、仮発行される仮認証用データ４３と、その仮認証用データの送信先である送信先携帯電話情報としての携帯電話メールアドレス４２と、仮認証用データを携帯電話メールアドレス４２宛てに送信したことを示すフラグを立てるためのフラグ登録領域４４とが関係付けられて登録されている。
このフラグ登録領域４４に登録されるフラグは、照合手段による照合処理の際に、仮発行される認証用データを使用した照合を行うか否かを識別するための識別情報として使用される。
例えば、フラグ登録領域４４にフラグが立っていない場合には、照合手段による照合処理の際に、非接触ＩＣカード２５の記憶手段２５に登録させておく認証用データ４１を用いた照合が行われ、また、フラグ登録領域４４にフラグが立っている場合には、照合手段による照合処理の際に仮認証用データ４３を用いた照合が行われるように制御される。
特に、予め仮認証用データの送信先である携帯電話メールアドレス４２を社員情報データベース３６に登録しておくことで、非接触ＩＣカード２５を紛失した社員に対して、短時間で効率的に仮認証用データの送信処理が行われ、携帯電話機３を利用した入室ができるようにしてある。
【００２０】
照合手段３３は、通常は非接触ＩＣカード２５から読取装置４が読み取った社員ＩＤ及び認証用データを、読取装置４からサーバ８が受信し、社員情報データベース３６に登録されている社員ＩＤ及び認証用データとを照合処理する機能を有している。
また、照合手段３３は、社員が非接触ＩＣカード２５を紛失し、携帯電話機３を用いて入室する際に、携帯電話機３から読取装置４が読み取った社員ＩＤ及び仮認証用データを読取装置４からサーバ８が受信し、社員情報データベース３６に登録されている社員ＩＤ及び仮認証用データとを照合処理する機能を有している。
【００２１】
そして、開錠指示信号送信手段３１は、照合手段３３による認証用データ又は仮認証用データに基づく照合処理において照合一致した場合に、サーバ８から電気錠６に対して入室管理対象のドア５の開錠を行わせる指示信号を送信する機能を有している。
電気錠６は、常時施錠された状態となっているものの、サーバ８からドア５の開錠を行わせる指示信号を受信することで、開錠処理が行われて一時的に開錠されて入室可能となる。
これにより、社員１は、ドアを開けて入室が可能となる。
【００２２】
仮認証用データ送信制御手段３４は、社員が非接触ＩＣカード２５を紛失した場合において、携帯電話機３を利用して入室を行う際に用いられる。
この場合には、携帯電話機３からサーバ８に仮認証用データの発行依頼のメールを送信した際に、その受信メールのメールアドレスが予め社員情報データベース３６に登録されているかの判定が行なわれ、予めメールアドレスが登録されている場合には、そのメールアドレスと関係付けられて登録されている仮認証用データをその登録されているメールアドレス宛てに返信処理するように制御する機能を有している。
つまり、予め携帯電話メールアドレスを社員情報データベース３６に登録しておくことで、仮仮認証用データの返信処理が認証され、セキュリティが保護されるようにしてある。
【００２３】
有効期間設定手段３５は、非接触ＩＣカード２５が紛失された後に、新たな非接触ＩＣカード２５の再発行が行われた場合に、携帯電話機３を利用した入室ができないようにするために、仮認証用データの有効期間を設定する機能を有している。
有効期間設定手段３５で設定される有効期間は、少なくとも再発行された非接触ＩＣカード２５がその利用者の手元に届いて使用できる状態になるまでの期間を有効とするように設定しておく。
したがって、仮認証用データの有効期間が、有効期間設定手段３５で設定された有効期間を過ぎている場合には、サーバ８が読取装置４から仮認証用データを受信したとしても有効期間切れとして扱い、照合手段３３による照合処理が行われないまま処理が中断される。
【００２４】
次に、本発明の実施形態に係る入室管理システムの処理手順を図４のフローチャート図に基づいて説明する。
まず、社員１が非接触ＩＣカード２５を紛失した際には、携帯電話機３を使用して、予め非接触ＩＣカード２が紛失した場合にサーバ８に連絡するための指定メールアドレス宛てに、非接触ＩＣカードの紛失届け用メールとして社員ＩＤ及び社員１の携帯電話メールアドレス情報を送信する。（ステップＳ１）
【００２５】
紛失届け用メールとして社員ＩＤ及び社員１の携帯電話メールアドレス情報を受信したサーバ８は、社員情報データベース３６に受信した社員ＩＤ及び携帯電話メールアドレス情報が登録されているか否かの判定を行う。（ステップＳ２）
この判定において、社員情報データベース３６に受信した社員ＩＤ及び携帯電話メールアドレス情報の登録が行われている場合には、社員情報データベース３６でこの受信した社員ＩＤ及びメールアドレス情報と関係付けられて登録されている仮認証用データを抽出する。（ステップＳ３）
尚、この判定において、社員情報データベース３６に受信した社員ＩＤ及び携帯電話メールアドレス情報が登録されていない場合には、処理が中断されて終了する。
【００２６】
次に、抽出された仮認証用データを、受信したメールアドレス宛てに返信する。（ステップＳ４）
そして、フラグ登録領域４４にフラグを立てて識別情報の登録をする。（ステップＳ５）
次に、仮認証用データを受信した携帯電話機３は、携帯電話機３の非接触ＩＣカード部２０の記憶手段２３に仮認証用データを記憶させる。（ステップＳ６）
これにより、社員１は、携帯電話機３を用いて電気錠６の開錠を行わせることができるようになる。
【００２７】
そして、社員１が、入室する場合には、携帯電話機３を読取装置４に近づけることで、携帯電話機３の非接触ＩＣカード部２０に記憶されている社員ＩＤ及び仮認証用データを読み取らせる。（ステップＳ７）
読取装置４は、読み取った社員ＩＤ及び仮認証用データを制御装置７に送り、更に制御装置７はサーバ８に対して社員ＩＤ及び仮認証用データを送信する。（ステップＳ８）
次に、社員ＩＤ及び仮認証用データを受信したサーバ８は、社員情報データベース３６に登録されている社員ＩＤと、受信した社員ＩＤとの照合を行うと共に、社員情報データベース３６の登録情報の中から今回処理する社員ＩＤの特定を行う。（ステップＳ９）
次に、社員ＩＤ及び仮認証用データを受信したサーバ８は、フラグ登録領域４４にフラグが立っているか否か判定する。（ステップＳ１０）
ここで、フラグ登録領域４４にフラグを立っていると判定された場合には、仮認証用データと、予め社員情報データベース３６に登録されている社員ＩＤ及び仮認証用データとの照合処理を行う。（ステップＳ１１）
【００２８】
この照合処理において、照合が一致した場合には、サーバ８から制御装置７に対して電子鍵６を開錠させる開錠指示信号の送信が行なわれ、更に制御装置７から電子錠６に対して開錠指示信号の送信が行なわれる。（ステップＳ１２）
尚、この照合処理において、照合が不一致の場合には、処理が中断されて終了する。
そして、開錠指示信号を受信した電子鍵６が開錠される。（ステップＳ１３）
以上の処理により、社員１が非接触ＩＣカード２５を紛失した際においても、携帯電話機３を使用することで開錠をして、入室することができるようになっている。
【００２９】
また、（ステップＳ１０）における判定でフラグが立ってないと判定された場合には、予め社員情報データベース３６に登録されている認証用データとの照合処理を行う。（ステップＳ１４）
そして、この照合処理において、照合が一致した場合には、サーバ８から制御装置７に対して電子鍵６を開錠させる開錠指示信号の送信が行なわれ、更に制御装置７から電子錠６に対して開錠指示信号の送信が行なわれる。（ステップＳ１２）
尚、この照合処理において、照合が不一致の場合には、処理が中断されて終了する。
そして、開錠指示信号を受信した電子鍵６が開錠される。（ステップＳ１３）
【００３０】
上記のように、フラグ登録領域４４にフラグを立っていない場合には、通常の非接触ＩＣカード２５を使用した電子鍵６を開錠が行われるようにしてあり、例えば、社員が非接触ＩＣカード２５の再発行を受けたり、紛失した非接触ＩＣカード２５がその後に見つかった場合には、携帯電話機３による仮認証用データでの照合から非接触ＩＣカード２５を使用した認証用データでの照合に切り替えられるようにしてある。
【００３１】
尚、仮認証用データの発行が行われても、発行された仮認証用データで照合できる期間は、仮認証用データ有効期間設定手段３５で定められた期間に限定される。
この仮認証用データ有効期間は、新たに非接触ＩＣカード２の再発行を行うカード発行者側が、再発行される非接触ＩＣカード２の時期に応じて設定することで、照合の際に、携帯電話機３を利用した照合処理と、再発行される非接触ＩＣカード２を利用した照合処理とがいつまでも併用されることがないように管理できるようにしてある。
【図面の簡単な説明】
【００３２】
【図１】本発明の実施形態に係る入室管理システムの構成を示す図である。
【図２】本発明の実施形態に係る入室管理システムに使用される携帯電話機及び非接触ＩＣカードのシステムブロック図である。
【図３】本発明の実施形態に係る入室管理システムに使用されるサーバのシステムブロック図である。
【図４】本発明の実施形態に係る入室管理システムに使用されるサーバのデータベースに登録されているデータを示す図である。
【図５】本発明の実施形態に係る入室管理システムの処理手順を示すフローチャート図である。
【符号の説明】
【００３３】
１  社員
２  非接触ＩＣカード
３  携帯電話機
４  読取装置
５  ドア
６  電気錠
７  制御装置
８  サーバ
９  通信ネットワーク
１０  移動体通信網
１１  表示手段
１２  入力手段
１３  電源部
１４  記憶手段
１５，２４，３７  制御手段
１６，２１  インターフェーフェース（Ｉ/Ｆ）
１７  音声入出力手段
１８  デジタル信号処理手段
１９  ＲＦ入出手段
２０  非接触ＩＣカード部
２２，３０  送受信手段
２３，３２  記憶手段
２５  非接触ＩＣカード
３１  開錠指示信号送信手段
３３  照合手段
３４  仮認証用データ送信制御手段
３５  仮認証用データ有効期間設定手段
３６  社員情報データベース
４０  社員ＩＤ
４１  認証用データ
４２  携帯電話メールアドレス
４３  仮認証用データ
４４  フラグ登録領域
【図１】
2007308873.tif 000003
【図２】
2007308873.tif 000004
【図３】
2007308873.tif 000005
【図４】
2007308873.tif 000006
【図５】
2007308873.tif 000007